(57)【特許請求の範囲】
【請求項１】
呼吸用気体が充填された圧力容器と、前記圧力容器からの呼吸用気体を減圧する減圧弁と、呼吸に応じて開閉する肺力弁と、面体と、前記圧力容器と前記減圧弁を接続する供給流路と、前記減圧弁と前記肺力弁とを接続する送給流路と、前記肺力弁と前記面体とを接続する給気流路と、前記圧力容器を装着するための装着手段と、を具備し、
前記装着手段は、前記圧力容器が装着される容器取付部と、前記容器取付部に連結された一対の肩バンドと、前記一対の肩バンドを連結するための胸バンドを有し、
前記肺力弁は、ハウジングと、前記ハウジングに設けられた供給側接続部および排出側接続部と、前記ハウジング内に配設された肺力弁体および弁座と、を備え、前記供給側接続部が前記送給流路に連通され、前記排出用接続部が前記給気流路に連通され、前記肺力弁体が前記弁座から離れることによって前記減圧弁からの呼吸用気体が前記面体に送給され、
前記肺力弁の前記ハウジングは前記装着手段の前記胸バンドに装着され、前記肺力弁の前記排出側接続部は、前記胸バンドへの装着状態において実質上水平またはそれよりも下方に延びており、
前記給気流路を規定する給気管は、リング状の波山がその長手方向に複数設けられた蛇管部を少なくともその一部に有し、
前記肺力弁の前記ハウジングは、ダイヤフラムによって大気に連通する大気圧室と前記面体に連通する吸気圧室とに仕切られており、前記吸気圧室は、前記胸バンドへの装着状態において前記弁座よりも下方に位置して、前記吸気圧室に侵入した水を溜める水溜部を有し、
前記装着手段には吊下げ部材が設けられ、前記面体には前記吊下げ部材に吊下げられる取付具が設けられており、前記吊下げ部材に前記取付具を装着すると、前記面体と前記給気管との接続部が上側に位置することを特徴とする開放式呼吸器。
【請求項２】
呼吸用気体が充填された圧力容器と、前記圧力容器からの呼吸用気体を減圧する減圧弁と、呼吸に応じて開閉する肺力弁と、面体と、前記圧力容器と前記減圧弁を接続する供給流路と、前記減圧弁と前記肺力弁とを接続する送給流路と、前記肺力弁と前記面体とを接続する給気流路を規定する給気管と、前記圧力容器を装着するための装着手段と、を具備し、
前記装着手段には吊下げ部材が設けられ、前記面体には前記吊下げ部材に吊下げられる取付具が設けられており、前記吊下げ部材に前記取付具を装着すると、前記面体と前記給気管との接続部が面体に対して上側に位置するとともに、面体の開放された面が、装着手段を介して圧力容器を装着した装着者の胸側に位置することを特徴とする開放式呼吸器。
【発明の詳細な説明】
【０００１】
【発明の属する技術分野】
本発明は、開放式呼吸器に関する。
【０００２】
【従来の技術】
開放式呼吸器の一例として、たとえば実公昭６２−１１６３０号公報に開示されたものが存在する。この公知の開放式呼吸器は、呼吸用気体が充填された圧力容器と、圧力容器からの呼吸用気体を減圧する減圧弁と、装着者の呼吸に応じて開閉される肺力弁と、装着者の頭部の前面を覆う面体を備えている。肺力弁は、装着者の口に対応して、面体の下部に配設されており、圧力容器と減圧弁とは供給流路を介して接続され、減圧弁と肺力弁とは給気流路を介して接続されている。この種の呼吸器においては、圧力容器からの高圧の気体は、供給流路を介して減圧弁に送給され、減圧弁の作用によって中程度の圧力に減圧される。減圧弁によって減圧された呼吸用気体は、送給流路を介して肺力弁に送給される。肺力弁の弁体は、装着者の呼吸に応じて開閉し（吸気によって開放する）、したがって装着者の呼吸に応じて肺力弁から面体に、減圧された（ほぼ大気圧に減圧された）吸気用気体が送給される。
【０００３】
【発明が解決しようとする課題】
しかしながら、上述した開放式呼吸器には、次のとおりの解決すべき問題が存在する。一般に、開放式呼吸器においては、肺力弁にて中程度の圧力の呼吸用気体がほぼ大気圧まで減圧され、この減圧によって肺力弁の弁体近傍において呼吸用気体の断熱膨張が行われる。呼吸用気体が断熱膨張すると、それによって周囲の熱が奪われてその温度が低下し、周囲の温度よりたとえば５℃程度低下する。
【０００４】
開放式呼吸器は、たとえば、有毒ガス、煙等が発生するまたはその恐れがある消火活動等に広く用いられており、消火活動に用いた場合には、消火用放水による水が面体に侵入する恐れがある。特に、面体を装着せずに装着者が保持している、または装着者に装着されたベルト等に吊下げているときには、面体の装着面が開放されるため、この開放された面から水が侵入しやすくなる。このようにして面体に水が侵入したときには、侵入した水が肺力弁まで到達し、肺力弁の弁体およびその近傍にて水が溜まる恐れがある。肺力弁の弁体およびその近傍に水が溜まると、周囲温度がたとえば約５℃以下のときには、肺力弁における呼吸用気体の断熱膨張によってその弁体近傍の温度が氷点以下となり、溜まった水が凍結するようになる。このような凍結が発生すると、肺力弁の弁体と弁座とが氷によって固定され、弁体の開閉動作が不能となり、減圧弁から面体への呼吸用気体の供給ができなくなる。
【０００５】
本発明の目的は、肺力弁における凍結を効果的に防止することができる開放式呼吸器を提供することである。
【０００６】
【課題を解決するための手段】
本発明は、呼吸用気体が充填された圧力容器と、前記圧力容器からの呼吸用気体を減圧する減圧弁と、呼吸に応じて開閉する肺力弁と、面体と、前記圧力容器と前記減圧弁を接続する供給流路と、前記減圧弁と前記肺力弁とを接続する送給流路と、前記肺力弁と前記面体とを接続する給気流路と、前記圧力容器を装着するための装着手段と、を具備し、
前記装着手段は、前記圧力容器が装着される容器取付部と、前記容器取付部に連結された一対の肩バンドと、前記一対の肩バンドを連結するための胸バンドを有し、
前記肺力弁は、ハウジングと、前記ハウジングに設けられた供給側接続部および排出側接続部と、前記ハウジング内に配設された肺力弁体および弁座と、を備え、前記供給側接続部が前記送給流路に連通され、前記排出用接続部が前記給気流路に連通され、前記肺力弁体が前記弁座から離れることによって前記減圧弁からの呼吸用気体が前記面体に送給され、
前記肺力弁の前記ハウジングは前記装着手段の前記胸バンドに装着され、前記肺力弁の前記排出側接続部は、前記胸バンドへの装着状態において実質上水平またはそれよりも下方に延びており、
前記給気流路を規定する給気管は、リング状の波山がその長手方向に複数設けられた蛇管部を少なくともその一部に有し、
前記肺力弁の前記ハウジングは、ダイヤフラムによって大気に連通する大気圧室と前記面体に連通する吸気圧室とに仕切られており、前記吸気圧室は、前記胸バンドへの装着状態において前記弁座よりも下方に位置して、前記吸気圧室に侵入した水を溜める水溜部を有し、
前記装着手段には吊下げ部材が設けられ、前記面体には前記吊下げ部材に吊下げられる取付具が設けられており、前記吊下げ部材に前記取付具を装着すると、前記面体と前記給気管との接続部が上側に位置することを特徴とする開放式呼吸器である。
本発明に従えば、肺力弁のハウジングは装着手段の胸バンドに装着され、この装着状態において、肺力弁の排出側接続部は実質上水平またはそれよりも下方に延びている。それ故に、仮に面体の開放された面から水が侵入しても、侵入した水は肺力弁に到達し難く、給気流路内に保持されるようになる。したがって、凍結の原因となる水が肺力弁に流れることが防止され、肺力弁における凍結が効果的に防止される。また、給気流路を規定する給気管は、リング状の波山がその長手方向に複数設けられた蛇管部を少なくともその一部に有するので、面体から侵入して給気流路を流れる水は、この蛇管部にて保持され、さらに下流側に肺力弁に向けて流れることが防止される。
また肺力弁におけるハウジングの吸気圧室には、弁座よりも下方に位置して、吸気圧室に侵入した水を溜める水溜部が設けられているので、仮に外部の水が面体から給気管を通して肺力弁に侵入したとしても、侵入した水は吸気圧室の水溜部に溜まり、弁体まで到達することが回避される。
【０００９】
また、胸バンドの吊下げ部材に面体の取付具を装着すると、面体と給気管の接続部が上側に位置するので、面体から肺力弁に向かって延びる給気管の一端部（面体との接続部分）は、上方に向かって延びるようになり、したがって面体の開放された面から給気管への水の侵入が防止される。
また本発明は、呼吸用気体が充填された圧力容器と、前記圧力容器からの呼吸用気体を減圧する減圧弁と、呼吸に応じて開閉する肺力弁と、面体と、前記圧力容器と前記減圧弁を接続する供給流路と、前記減圧弁と前記肺力弁とを接続する送給流路と、前記肺力弁と前記面体とを接続する給気流路を規定する給気管と、前記圧力容器を装着するための装着手段と、を具備し、
前記装着手段には吊下げ部材が設けられ、前記面体には前記吊下げ部材に吊下げられる取付具が設けられており、前記吊下げ部材に前記取付具を装着すると、前記面体と前記給気管との接続部が面体に対して上側に位置するとともに、面体の開放された面が、装着手段を介して圧力容器を装着した装着者の胸側に位置することを特徴とする開放式呼吸器である。
本発明に従えば、吊り下げ部材に面体の取付具を装着すると、面体と給気管との接続部が、面体に対して上側に位置するので、面体から肺力弁に向かって延びる給気管の接続部は、上方に向かって延びるようになり、面体の開放された面から給気管への水の侵入が防止される。さらに面体の開放された面は、装着手段を介して圧力容器を装着した装着者の胸側に位置する。これによって面体の開放された面が装着者の体でもって覆われるようになり、外側から面体への水の浸入が防止できる。この場合、吊り下げ部材に面体を装着した状態から、装着者が面体を装着しても、面体から給気管への水の侵入をさらに防止することができる。これによって給気管から肺力弁に水が達することを防ぐことができ、肺力弁による呼吸気体の断熱膨張によって、弁体近傍の温度が氷点以下となったとしても、肺力弁における弁体の開閉動作不良を防ぐことができる。
【００１０】
図１は、本発明に従う開放式呼吸器の一実施形態を示す正面図であり、図２は、図１の呼吸器の簡略化した系統図であり、図３は図１の呼吸器を装着者が装着した状態を示す斜視図である。図１〜図３において、図示の開放式呼吸器は、圧力容器２、減圧弁４、肺力弁６、面体８および呼気弁１０を備えている。圧力容器２内には、呼吸用気体、たとえば空気が加圧充填される。圧力容器２内の気体は比較的高圧であり、たとえば３００ｋｇ／ｃｍ2程度の圧力に設定される。減圧弁４は、圧力容器２からの高圧の気体を中程度の圧力、たとえば７〜８ｋｇ／ｃｍ2程度に減圧する。圧力容器２と減圧弁４とは、供給流路を規定する供給管１２を介して接続され、この供給流路には、供給流路を開閉する容器弁１４が配設されている。容器弁１４を開状態にすると圧力容器２からの呼吸用気体が供給流路を介して減圧弁４に送給されるが、容器弁１４を閉状態にすると圧力容器２からの呼吸用気体が減圧弁４に送給されることはない。なお、本実施形態では、減圧弁４の一部が供給管１２を構成し供給流路を規定している。肺力弁６は、減圧弁４からの中程度の圧力の気体をほぼ大気圧に減圧して面体８に送給する。減圧弁４と肺力弁６とは、送給流路を規定する送給管１６を介して接続されており、減圧弁４からの呼吸用気体は送給流路を通して肺力弁６に送給される。また、肺力弁６と面体８とは給気流路を規定する給気管１８を介して接続されており、肺力弁６からの呼吸用気体は給気流路を通して面体８に供給され、装着者は面体８を通して供給された呼吸用気体を吸気する。なお、肺力弁６およびそれに関連する要素については、後述する。また、面体８には呼気弁１０が設けられている。呼気弁１０は、装着者が呼気したときに開状態となり、呼気を面体８の外部に排出する。減圧弁４からの高圧の呼吸用気体は警報器１１に送給され、警報器１１は、呼吸用気体の圧力が所定値より低下したときに、呼吸用気体が残り少ないことを知らせる。図２において、圧力容器２から減圧弁４に至る実線の矢印で示す流路（ライン）には比較的高圧の気体が流れ、減圧弁４から肺力弁６に至る破線の矢印で示す流路（ライン）には、中程度の圧力の気体が流れ、肺力弁６から呼気弁１０に至る二重線の矢印で示す流路（ライン）には、ほぼ大気圧の気体が流れる。
【００１１】
圧力容器２等は、装着手段２０に取付けられ、この装着手段２０および面体８は、図３に示すとおりに装着者に装着される。主として図１を参照して、図示の装着手段２０は、圧力容器２に対応した大きさの細長い容器取付部２２を有している。この容器取付部２２には、圧力容器２が気体の出口を下方に向けて、すなわち容器弁１４が下側となるように取換え自在に装着される。容器取付部２２の長手方向中間部には締結バンド２４が設けられており、この締結バンド２４を締結することによって、圧力容器２が容器取付部２２に確実に取付けられる。容器取付部２２の上下方向両端部には、一対の肩バンド２６，２８が連結されている。片方の肩バンド２６は、容器取付部２２の図１において左側部に配設され、装着者の左腕が挿通される。また、他方の肩バンド２８は、容器取付部２２の図１において右側部に配設され、装着者の右腕が挿通される。実施の形態では、肩バンド２６，２８は、比較的幅の広い第１のバンド部２６ａ，２８ａと、比較的幅の狭い第２のバンド部２６ｂ，２８ｂら構成され、第１のバンド部２６ａ，２８ａと第２のバンド部２６ｂ，２８ｂが相互に連結されている。そして、装着者が装着手段２０を背負ったとき、肩バンド２６，２８の第１のバンド部２６ａ，２８ａが装着者の両肩に掛かるように構成されている。
【００１２】
片方の肩バンド２６の第１のバンド部２６ａと第２のバンド部２６ｂとの連結部からは片方の胸バンド３０が延び、他方の肩バンド２８の第１バンド２８ａと第２のバンド部２８ｂとの連結部からは他方の胸バンド３２が延びている。胸バンド３０，３２の先端部には、相互に着脱自在に連結される連結金具３４，３６が配設されており、これら連結金具３４，３６を連結することによって、胸バンド３０，３２は装着者の胸前で締結される。実施の形態では、片方の胸バンド３０に肺力弁６が装着される。肺力弁６はハウジング３８を有し、このハウジング３８の裏面には、取付具４０が設けられている。図５も参照して、取付具４０は、その４角部の穴３３を通して取付ねじ（図示せず）を上記ハウジング３８に螺着することによって、ハウジング３８に装着される。片方の胸バンド３０は、取付具４０に設けられた一対の開口３５，３７を通して装着され、かく挿通することによって肺力弁６が胸バンド３０に装着される。また、胸バンド３０には、吊下げ部材４１が装着されている。吊下げ部材４１は、一端部にループ状の取付部４２を有し、その他端部に略Ｕ字状係止部４４を有し、取付部４２と係止部４４とがリング状金具４５を介して連結されており、胸バンド３０を取付部４２に挿通することによって胸バンド３０に装着される。吊下げ部材４１の係止部４４には、後述するごとくして面体８が着脱自在に係止される。胸バンド３０に肺力弁６および吊下げ部材４１が装着されるので、圧力容器２を背負った状態においては、装着者の左胸前に肺力弁６および頭部に装着される面体８が保持される。なお、装着者の作業性を考慮して、上述とは反対に、胸バンド３２に吊下げ部材４１を装着することもできる。
【００１３】
装着手段２０の容器取付部２２の下端部には、両側に延びる腰バンド４６，４８が設けられている。腰バンド４６，４８の先端部には、相互に着脱自在に連結される連結具５０，５２が配設されており、これらの連結具５０，５２を連結することによって、腰バンド４６，４８は装着者の腰前で締結される。かくの通りであるので、実施形態の装着手段２０においては、装着者は、容器取付部２２に取付けられた圧力容器２を、一対の肩バンド２６，２８、胸バンド３０，３２および腰バンド４６，４８によって背負う。なお、圧力容器２が比較的軽い場合等においては、腰バンド４６，４８を省略することもできる。
【００１４】
面体８は、その開放された面側に配設された装着具５４を含んでいる。装着具５４は複数（たとえば６つ）の接続部５６を有し、これら接続部５６が面体８に装着される。装着具５４は装着者の頭部を包むように装着され、所要の通り装着されると、面体８は装着者の顔を覆い、装着具５４は装着者の頭を覆う。面体８の前面には透明なアイピース６０が設けられており、これによって視野が確保される。また、面体８には、その内側の下部に一体的に可撓性を有する隔障６２が設けられており、隔障６２は装着者の口および鼻を覆う。この隔障６２は、面体８の内側に呼吸室を規定し、肺力弁６からの呼吸用気体は給気流路を通して面体８と装着者の頭部によって規定される空間に送給される。
【００１５】
図４は肺力弁６の拡大断面図である。主として図４を参照して、図示の肺力弁６は、上述したハウジング３８と、このハウジング３８に装着される蓋体６４から構成され、リング６６をハウジング３８に装着することによって、ハウジング３８と蓋体６４が着脱自在に装着される。ハウジング３８および蓋体６４の接合部は、ゴムなどの可撓性および弾発性を有する材料から成る環状のカバー体６８によって覆われている。ハウジング３８とそれに装着された蓋体６４とは、ダイアフラム７０が収納されるダイアフラム室７２を規定し、ダイアフラム７０の周縁部はハウジング３８と蓋体６４とによって挟持され、このダイアフラム７０によって前記ダイアフラム室７２は大気に連通する大気圧室７４と、吸引力が導入される吸気圧室７６とに仕切られる。前記吸気圧室７６は、送給管１６が接続される供給側の接続部７８内の流路８０と、給気管１８が接続される排出側の接続部８２の流路８４とに連通しており、吸引によって前記ダイアフラム７０が吸気圧室７６側に変位すると、弁棒８６が下方に変位して肺力弁体８８が弁座９０から離反し、供給側の流路８０と吸気圧室７６とが連通して呼吸用気体が流れ込み、この呼吸用気体は吸引によって、供給側の流路８４から給気管１８を介して面体８へ供給される。さらに説明すると、供給側の接続部７８は、金属製であり、呼吸用気体の供給方向上流側の端部には送給管１６を接続するための外ねじ９０が刻設される。この接続部７８の供給方向下流側の端部には、Ｏリング９２が嵌着される。Ｏリング９２の配設部位の供給方向上流側近傍には、凹溝９４が形成され、図示しないピンなどが嵌まり込んで接続部７８が回転自在に抜止めされている。なお、送給管１６は、たとえばゴム管から形成することができる。
【００１６】
このような接続部７８は、ハウジング３８に装着された取付部材９６に接続される。取付部材９６は金属製であって、接続部７８の流路８０に連通する流路９８が形成される。この流路９８の供給方向下流側の端部の内周面には内ねじが刻設され、この内ねじには、前記弁座９０が一体的に形成され、外周面に外ねじが刻設されるねじ部材１００が螺着される。このねじ部材１００の外周にはＯリング１０２が嵌着され、取付部材９６の内ねじとねじ部材１００の外ねじとの隙間からの呼吸用気体の漏洩を防止している。このようにして取付部材９６にはねじ部材１００によって弁体８８および弁座９０が着脱可能に装着されている。
【００１７】
取付部材９６には、この部材の直角方向（図４において略上下方向）に立上る立上り部１０４が一体的に形成され、立上り部１０４には前記流路８０に連通する弁孔１０６を開放／遮断する調圧弁である弁体１０８が配設され、この弁体１０８は弁室１１０に収容されている。弁室１１０内には、弁体１０８が装着される弁棒１１２が嵌まり込み、その先端部には合成樹脂製の操作片１１４がピンによって固定される。この操作片１１４を角変位操作することによって弁棒１１２が螺進／螺退して、弁体１０８が弁孔１０６を閉鎖し、または開放することができる。
【００１８】
弁棒１１２には、また、Ｏリング１１５が装着されており、弁室１１０内に気密な空間が形成される。この空間は弁体１０８が弁孔１０６から離反することによって流路９８に連通する。このような空間は、バイパス孔１１６，１１８を介して吸気圧室７６に連通している。したがって、弁体８８が閉じた状態であっても、操作片１１４を操作して弁体１０８を開放すると、流路８０，９８に供給される呼吸用気体は弁孔１０６および各バイパス孔１１６，１１８を経て、吸気圧室７６に導き、装着者の吸引または排気にかかわらず面体８内に一定の流量で呼吸用気体を供給することができる。これによって弁体８８等の故障によって吸引によって吸気ができなくなっても、面体８内に呼吸用気体を導いて呼吸することができる。
【００１９】
弁体８８には、吸気圧室７６内に突出する弁棒８６の一端部が固定される。この弁棒８６は、円錐ばね１２０によって弁体８８が弁座９０に周方向全周にわたって当接状態となるように支持され、この円錐ばね１２０のばね力に抗して弁棒８６が角変位したときには、弁体８８は弁座９０から離反して開放し、流路８０，９８内の呼吸用気体は弁孔１２２を経て吸気圧室７６内に流れ込む。このような弁棒８６の他端部には、略球状の当接片８６ａが固定され、この当接片８６ａはダイアフラム７０に吸気圧室７６側から軽く当接している。弁棒８６は、ハウジング３８に固定される案内板１２４に形成された案内長孔１２６に沿って図４の上下方向に案内される。ダイアフラム７０は、たとえばゴムなどのような可撓性および弾発性を有する材料から成る可撓膜１２８と、可撓膜１２８が圧着される金属製の保持板１３０とを有する。この保持板１３０には一対の支持片１３２（図４において片方のみ示す）が立設され、その上端部には連結片１３４が固定される。各支持片１３２によってダイアフラム７０が大気圧室７４側へ変位したとき、蓋体６４に当接して、ダイアフラム７０の大気圧室７４側への変位が上死点で保持される。
【００２０】
蓋体６４には、その大気圧室７４内で揺動自在な揺動部材１３８が設けられる。この揺動部材１３８には、たとえば赤色などに着色された逆Ｕ字状の表示片１４０が設けられ、揺動部材１３８が反時計方向に上昇したときに、蓋体６４に形成される表示孔１４２を介して外部から表示片１４０を視認することができる。このように表示孔１４２から表示片１４０の赤色が表示された状態では、揺動部材１３８が連結片１３４を図４において下方から上方へ押上げてダイアフラム７０は大気圧室７４側へ変位した状態で吸気圧室７６側への変位が阻止されたロック状態となっている。このロック状態においては、ばね１２０の作用によって弁体８８が弁座９０押圧され、弁孔１２２は弁体８８によって閉状態に保持される。
【００２１】
揺動部材１３８の長手方向一端部には、たとえば合成樹脂などの滑りのよい材料から成り、ダイアフラム７０に臨んで球面の一部を構成する当接面が形成される当接片１４４が嵌着される。また揺動部材１３８にはばね１４６の一端部が係止されており、時計方向または反時計方向にばね付勢される。このばね１４６の他端部は、蓋体６４に螺着された調整用ビス１４８に係止されており、この調整用ビス１４８を螺進／螺退することによって、ばね１４６のばね力を調整することができる。
【００２２】
揺動部材１３８の先端部１５０は、揺動部材１３８が反時計方向に上昇したときに係止ばね１５２によって係止される。この係止状態は、吸引によるダイアフラム７０の大気圧室７４から吸気圧室７６側への変位によって解除することができる。係止ばね１５２は、コイルばねをＵ字状に屈曲して、その両端部を蓋体６４に一体的に形成される突部１５４に押え板１５６とボルト１５８とによって取付けられる。この係止ばね１５２は、図４において上方へは容易に屈曲して前記揺動部材１３８の先端部１５０が係止され、下方へは前記上方への変位よりも大きな力によって前記係止状態が解除される。
【００２３】
揺動部材１３８の長手方向他端部には、その他端部からほぼ直角に立上がり、図４において上方になるにつれて左方に湾曲して延びる案内部１５８が形成される。この案内部１５８には、化粧カバー１３６に着脱可能に装着され、ゴムなどの可撓性および弾発性を有する材料から成る押圧片１６０の円錐状の楔面１６０ａによって押圧される。この案内部１５８は、揺動部材１３８を枢支する枢支片１６２よりも前記一端部とは反対側で楔面１６０ａの直下に湾曲して延びており、押圧片１６０を押圧操作することによって、この押圧片１６０は案内部１５８を側方、すなわち図４の左方に押圧する。このような楔面１６０ａと案内部１５８とによって、わずかな力で揺動部材１３８を反時計方向へ上昇させて係止ばね１５２に係止させることができる。
【００２４】
肺力弁６に関連して、次のとおり構成されている。図１、図３および図４を参照して、肺力弁６の供給側接続部７８および排出側接続部８２は、装着者に装着した状態（この装着した状態とは、図３に示す如く、圧力容器２を所要のとおり背負って通常の直立の姿勢とした状態をいう）において実質上水平に延びている。送給管１６は、装着者の肩の上側を通って下方に延び、肺力弁６の供給側接続部７８に接続され、また給気管１８の一端部は実質上水平な状態でもって肺力弁６の排出側接続部８２に接続されている。特に、給気管１８の一端部が実質上水平な状態で排出側接続部８２に接続されているので、面体８の開放された面から水が流入し、給気管１８を通して肺力弁６に向けて流れたとしても、給気管１８の一端部において流入した水の自重による肺力弁６の吸気圧室７６への侵入が低減される。この給気管１８の接続構造に関連して水の侵入を一層効果的に防止するためには、水の自重による流下を確実に防止すればよく、それ故に、排出側接続部８２を実質上水平よりも下方に延びるように設けるのがよい。このように構成することによって、給気管１８の一端部は、装着者への装着状態において下方から上方に向けて肺力弁６の排出側接続部８２に接続されるようになり、侵入した水の肺力弁６の吸気圧室７６への侵入が一層確実に防止される。
【００２５】
また、肺力弁６の排出側接続部８２が実質上水平（またはこれよりも下方）に延びていることに関連して、次のとおりの特徴が生じる。すなわち、面体８は装着者の頭部に装着され、給気管１８は面体８の下部に接続された他端部から実質上垂直下方に延びている。一方、本実施形態においては、肺力弁６は装着手段２０の胸バンド３０に取付けられ、装着者の左胸前に配設され（図３）、給気管１８の一端部は実質上水平に（または下方から上方に向けて）肺力弁６の排出側接続部８２に接続される。したがって、容易に理解される如く、給気管１８をこのように面体８および肺力弁６に接続することによって、給気管１８に実質上９０度またはそれ以上の角度（または９０度以上の角度）の湾曲部が生成される（図１、図３参照）。それ故に、面体８を通して給気管１８に水が侵入しても、侵入した水は給気管１８の湾曲部において流下しなくなり、この湾曲部にて保持され、肺力弁６の吸気圧室７６への侵入が確実に防止される。なお、上述した記載から理解される如く、肺力弁６の排出側接続部８２を実質上水平よりも下方に延びるように構成した場合、または肺力弁６の排出側接続部８２を実質上水平に延びるようにするとともに給気管１８の長さを長くして給気管１６が比較的大きく湾曲するようにした場合には、給気管１８に生成される湾曲部の曲げ角度α（図１）は９０度を越えるようになり、それ故にこの湾曲部が侵入した水の溜部として有効に作用し、侵入した水の肺力弁６の吸気圧室７６への侵入が確実に防止される。
【００２６】
面体８から侵入した水が肺力弁６に流下しないようにするには、図４に示すとおり、給気管１８を蛇管から構成するのが望ましい。本実施形態では、給気管１８全体が蛇管から構成され、その一端部は、図４に示すとおり、締結金具１７０によって排出側接続部８２の外周面に取付けられる。蛇管はリング状の波山がその長手方向に実質上全長にわたって連続して形成されている。給気管１８を蛇管から構成することによって、給気管１８の内周面の表面積が大きくなり、それ故に、給気管１８の内面に付着可能な水の量が多くなり、侵入した水の肺力弁６への流下が防止される。また、給気管１８の湾曲部においては、その溝部（蛇管の山に対応してその内面に形成される凹部）が水溜部として作用し、給気管１８の内面に沿って流下する水はこの溝部に溜まり、肺力弁６に向けてさらに流れることが防止される。また、給気管１８を蛇管から構成することによって給気管１８自体に充分な可撓性を持たせることができ、装着者の作業性をも向上する。なお、本実施形態では、給気管１８全体を蛇管から構成しているが、給気管１８の一部（たとえば湾曲部およびその近傍）を蛇管から構成することによっても上述した作用効果が達成される。
【００２７】
上述した構成は、面体８から侵入した水が肺力弁６まで流下しないようにするものであるが、仮に肺力弁６の吸気圧室７６まで水が侵入したときでも、次のとおりに構成することによって肺力弁体８８の凍結を防止することができる。本実施の形態では、肺力弁６を胸バンド３０に装着した状態において、肺力弁６の供給側接続部７８および排出側接続部８２がハウジング３８の上下方向略中央部に配設されており、このことに関して、肺力弁体８８および弁座９０もハウジング３８内の上下方向略中央部に配置されている。それ故に、図４から理解される通り、肺力弁６の吸気圧室７６における弁体８８および弁座９０の配置部位よりも下方に比較的大きい空間が存在し、この空間が水溜部として機能する。したがって、仮に面体８および給気管１８を通して肺力弁６の吸気圧室７６に水が侵入したとしても、この侵入した水は吸気圧室７６の下部空間、すなわち水溜部として機能する空間に溜まり、弁体８８および弁座９０が水に侵ることが少なく、吸気圧室７６内にて水が凍結しても弁体８８の作動に影響を与えることが少ない。
【００２８】
このような面体８は、装着者の頭部に装着しないときは図５に示すように保持される。図１および図５を参照して、装着手段２０の胸バンド３０には吊下げ部材４１が装着されており、この吊下げ部材４１の係止部４４は幾分弾性変形可能な金属プレートから形成され、上方に向けて開放されている。一方、装着者の頭に装着した状態において面体８の下端部、換言すると面体８と給気管１８との接続部近傍には、取付具１７４が取付ベルト１７５によって取付けられている。取付具１７４は、略矩形状の挿通開口を有する取付部１７４ａを有しており、この挿通開口を通して吊下げ部材４１の係止部１４４の自由端部を挿通することによって、取付具１７４が吊下げ部材４１に取付けられる。この取付状態においては、面体８と給気管１８との接続部（装着者の頭部に装着した状態における下端部）が上側に位置するので、放水等による上から落下してくる水は面体８の開放した面から入ることはなく、仮に面体８の開放した面（装着者の顔に取付けられる接面口）から水が侵入したとしても、侵入した水は給気管１８側に流れることなく、面体８の内面に沿って下方に流下し、面体８の上部側（吊下げられた状態において面体８は上下逆に保持されているので、この上部側は吊下げられた状態においては下側に位置している）から外部に排出され、侵入した水が給気管１８を通して肺力弁６に向けて流れることはない。また、この吊下げ状態においては、面体８の開放された面を装着者の胸側に位置させることによって、この開放された面が装着者の体でもって覆われるようになり、外側から面体８への水の侵入が防止できる。
【００２９】
【発明の効果】
本発明によれば、肺力弁のハウジングは装着手段の胸バンドに装着され、この装着状態において、肺力弁の排出側接続部は実質上水平またはそれよりも下方に延びている。それ故に、仮に面体の開放された面から水が侵入しても、侵入した水は肺力弁に到達し難く、給気流路に保持されるようになる。したがって、凍結の原因となる水が肺力弁に流れることが防止され、肺力弁における凍結が効果的に防止される。また、給気管は、リング状の波山がその長手方向に複数設けられた蛇管部を少なくともその一部に有するので、面体から侵入して給気管内を流れる水は、この蛇管部にて保持され、さらに下流側に肺力弁に向けて流れることが防止される。
【００３０】
また肺力弁におけるハウジングの吸気圧室には、弁座よりも下方に位置して、前記吸気圧室に侵入した水を溜める水溜部が設けられているので、仮に外部の水が面体から給気管を通して肺力弁に侵入したとしても、侵入した水は吸気圧室の水溜部に溜まり、弁体まで到達することが回避される。これによって弁体が水に浸ることが少なく、吸気圧室にて水が凍結しても弁体の作動に影響を与えることが少ない。
【００３２】
さらに、胸バンドの吊下げ部材に面体の取付具を装着すると、面体と給気管の接続部が上側に位置するので、面体から肺力弁に向かって延びる給気管の一端部（面体との接続部分）は、上方に向かって延びるようになり、したがって面体の開放された面から給気管への水の侵入が防止される。
また本発明によれば、吊り下げ部材に面体の取付具を装着すると、面体と給気管との接続部が、面体に対して上側に位置するとともに、面体の開放された面は、装着手段を介して圧力容器を装着した装着者の胸側に位置するので、面体の開放された面が装着者の体でもって覆われるようになり、外側から面体への水の浸入を防止でき、面体の開放された面から給気管への吊り下げ部材に面体の取付具を装着すると、面体と給気管との接続部が、面体に対して上側に位置するので、面体から肺力弁に向かって延びる給気管の接続部は、上方に向かって延びるようになり、面体の開放された面から給気管への水の侵入が防止される。さらに面体の開放された面は、装着手段を介して圧力容器を装着した装着者の胸側に位置する。これによって面体の開放された面が装着者の体でもって覆われるようになり、外側から面体への水の浸入が防止できる。この場合、吊り下げ部材に面体を装着した状態から、装着者が面体を装着しても、面体から給気管への水の侵入をさらに防止することができる。
【図面の簡単な説明】
【図１】本発明に従う開放式呼吸器の一実施形態を示す正面図である。
【図２】図１の呼吸器の簡略化した系統図である。
【図３】図１の呼吸器を装着者が装着した状態を示す斜視図である。
【図４】図１の呼吸器における肺力弁を示す断面図である。
【図５】図１の呼吸器における面体を吊下げ部材に吊下げた状態を示す部分斜視図である。
【符号の説明】
２  圧力容器
４  減圧弁
６  肺力弁
８  面体
１０  呼気弁
１２  供給管
１６  送給管
１８  給気管（蛇管）
２０  装着手段
２２  容器取付部
２６，２８  肩バンド
３０，３２  胸バンド
３８  ハウジング
４１  吊下げ部材
７０  ダイヤフラム
７４  大気圧室
７６  吸気圧室
７８  供給側接続部
８２  排出側接続部
８８  肺力弁体
９０  弁座
１７４  取付具
【図１】
0003827372.tif 000002
【図２】
0003827372.tif 000003
【図３】
0003827372.tif 000004
【図４】
0003827372.tif 000005
【図５】
0003827372.tif 000006